(57)【要約】【課題】公衆網回線又は専用網回線を利用して無線通信する無線通信端末を、交換装置に収容させることができるようにする。【解決手段】  本発明は、無線通信端末アダプタ装置が、１又は複数の無線通信端末と接続可能な接続手段と、構内ネットワーク回線側との通信制御をする通信制御手段と、接続手段を介して接続した無線通信端末から端末情報を取得し、その取得した端末情報と、当該無線通信端末アダプタ装置に割り当てられている識別情報とを少なくとも含む番号変換情報を交換装置に送信する番号変換情報送信手段と、無線通信端末から取得した音声処理方式の制御情報に基づいて、無線通信端末と交換装置との間の音声通信が可能になるように音声制御する音声制御手段とを備えることを特徴とする。【選択図】      図１
2005191907.tif 000002
【特許請求の範囲】
【請求項１】
公衆網回線又は専用網回線を利用して無線通信する無線通信端末と接続して、上記無線通信端末を交換装置に収容させるための無線通信端末アダプタ装置であって、
１又は複数の上記無線通信端末と接続可能な接続手段と、
構内ネットワーク回線側との通信制御をする通信制御手段と、
上記接続手段を介して接続した上記無線通信端末から端末情報を取得し、その取得した上記端末情報と、当該無線通信端末アダプタ装置に割り当てられている識別情報とを少なくとも含む番号変換情報を上記交換装置に送信する番号変換情報送信手段と、
上記無線通信端末から取得した音声処理方式の制御情報に基づいて、上記無線通信端末と上記交換装置との間の音声通信が可能になるように音声制御する音声制御手段と
を備えることを特徴とする無線通信端末アダプタ装置。
【請求項２】
上記構内ネットワーク回線がアナログ回線であり、上記通信制御手段が、アナログ回線対応の通信制御を行うことを特徴とする請求項１に記載の無線通信端末アダプタ装置。
【請求項３】
上記構内ネットワーク回線側として、音声通信機能を有する収容通信端末と接続しており、
上記通信制御手段が、上記無線通信端末から取得した音声データ、及び、上記無線通信端末の上記端末情報を上記収容通信端末に与えることを特徴とする請求項１に記載の無線通信端末アダプタ装置。
【請求項４】
上記無線通信端末との接続後に、当該無線通信端末アダプタ装置が接続している１又は複数の、収容電話機及び又は収容通信端末への転送先指定を取り込む転送先指定手段を備え、
上記番号変換送信手段が、上記転送先指定手段から指定された上記収容電話機及び又は上記収容通信端末の識別番号を上記番号変換情報に含ませて、上記交換装置に与えることを特徴とする請求項１〜３のいずれかに記載の無線通信端末アダプタ装置。
【請求項５】
交換装置が収容可能とする無線通信端末アダプタ装置と接続して、構内ネットワーク回線を利用した音声通信をする無線通信端末であって、
上記無線通信端末アダプタ装置と接続可能な接続手段と、
所定の音声処理を行なう音声処理手段と、
上記無線通信端末アダプタ装置との接続を検知して、公衆網回線又は専用網回線との無線通信手段を停止させ、上記音声処理手段と上記無線通信端末アダプタ装置とを接続可能にする制御手段と
を備えることを特徴とする無線通信端末。
【請求項６】
公衆網回線又は専用網回線を利用して無線通信する無線通信端末と無線通信端末アダプタ装置とを接続することで、上記無線通信端末を交換装置に収容させる無線通信端末接続プログラムであって、
上記無線通信端末又は上記無線通信端末アダプタ装置に、
上記無線通信端末の音声処理方式の制御情報に基づいて、上記無線通信端末と上記交換装置との間の音声通信が可能になるように通信制御機能と
上記無線通信端末が有する端末情報と、上記無線通信端末アダプタ装置に割り当てられている識別番号とを少なくとも含む番号変換情報を上記交換装置に送信する番号変換情報送信機能と
を実現させるための無線通信端末接続プログラム。
【請求項７】
上記無線通信端末アダプタ装置が、構内ネットワーク回線側に音声通信機能を有する収容通信端末と接続しており、
上記通信制御機能が、上記無線通信端末からの音声データ、及び、上記無線通信端末の端末情報を上記収容通信端末に与えることを特徴とする請求項６に記載の無線通信端末接続プログラム。
【請求項８】
上記無線通信端末との接続後に、上記無線通信端末アダプタ装置が接続している１又は複数の、収容電話機及び又は収容通信端末への転送指定を取り込む転送先指定機能を有し、
上記番号変換送信機能が、上記転送先指定機能が取り込んだ上記収容電話機及び又は上記収容通信端末の構内識別番号を上記番号変換情報に含ませて、上記交換装置に送信することを特徴とする請求項６又は７記載の無線通信端末接続プログラム。
【発明の詳細な説明】
【技術分野】
【０００１】
本発明は、無線通信端末アダプタ装置、無線通信端末及び無線通信端末接続プログラムに関し、例えば、公衆網回線又は専用網回線を利用して無線通信する無線通信端末を、交換装置に収容可能にするための無線通信端末アダプタ装置、無線通信端末及び無線通信端末接続プログラムに適用し得る。
【背景技術】
【０００２】
図２は、従来の一般的な構内ネットワークシステムの全体構成のイメージ図である。
【０００３】
一般に、従来の携帯電話機や公衆網用のＰＨＳ端末等は、公衆網５０の基地局５１を利用して通信する。従って、例えば、携帯電話機を保有している利用者が構内にいる場合であっても、ある発信者がその利用者の携帯電話機に対し発呼するときには、公衆網５０を介して発信して通話を確立している。
【０００４】
また、図３は、一般的な電話交換機の内部構成を示す図であり、図４は、構内ＰＨＳシステムの一般的な全体構成のイメージ図である。
【０００５】
一般的に電話交換機３００は、図３に示すように、公衆網を収容するトランクユニット３０１と、内線網（構内ネットワークシステム）６０を収容するラインユニット３０３とを有する。
【０００６】
また、ＰＨＳ端末は、公衆網用と構内ネットワーク用（内線網用）とを有し、このいずれかの機能を持たせることは利用者の明示により切り替えられている。
【０００７】
図３に示す電話交換機を図４に示すような構内ＰＨＳシステムに適用すると、電話交換機は、内線網と公衆網との両方を収容することができるが、ＰＨＳ端末が内線用の番号と公衆網用の番号とを割り振る必要がある。
【０００８】
すなわち、ＰＨＳ端末が公衆網を経由して通話するときには、電話交換機は公衆網用の電話番号Ａを使用して通話を確立させ、ＰＨＳ端末が内線電話網を経由して通話するときには、電話交換機は内線用の電話番号Ｂを使用して通話を確立させている（図４参照）。
【０００９】
このように、利用者が、携帯電話機や、ＰＨＳ端末（公衆網用又は構内ネットワークシステム用を共に含む）や、構内ネットワークシステムの交換機に収容される電話機（例えば一般電話機やＩＰ電話機等を共に含む）や、情報処理端末（例えばパソコン等）等、複数の通信端末を保有する場合があることから、その利用者と通話を望む発信者は、いずれの番号で発信すればよいかの番号選択をする必要があった。
【００１０】
このような問題を解決する技術として、下記の特許文献１には、携帯電話機の番号を格納し基地局や交換機に転送機能を持たせることで、携帯電話機への着信を内線網への迂回を実現する技術が記載されている。
【特許文献１】特開２００３−０４６６４５号公報
【発明の開示】
【発明が解決しようとする課題】
【００１１】
しかしながら、構内ネットワークシステムとしてより安定かつ安価な回線を内線網を利用していたとしても、携帯電話機が基地局としか通信することができないため、内線発信者は内線網を経由させた通話をすることができないという問題がある。
【００１２】
また、上述した特許文献１のように携帯電話機への着信を内線網に迂回させる技術は、携帯電話機の機能を停止させることとするために、携帯電話機の機能を有効に使うことができないという問題がある。
【００１３】
また、電話交換機と移動基地局との両方で内線迂回の制御をする必要があるため、より簡易な方法が望まれている。
【００１４】
そのため、無線通信端末の機能を有効に利用できるようにすると共に、無線通信端末との音声通信を、構内ネットワーク回線を経由させて行なわせることができる無線通信端末アダプタ装置、無線通信端末及び無線通信端末接続プログラムが求められている。
【課題を解決するための手段】
【００１５】
かかる課題を解決するために、第１の本発明に係る無線通信端末アダプタ装置は、公衆網回線又は専用網回線を利用して無線通信する無線通信端末と接続して、無線通信端末を交換装置に収容させるための無線通信端末アダプタ装置であって、（１）１又は複数の無線通信端末と接続可能な接続手段と、構内ネットワーク回線側との通信制御をする通信制御手段と、（２）接続手段を介して接続した無線通信端末から端末情報を取得し、その取得した端末情報と、当該無線通信端末アダプタ装置に割り当てられている識別情報とを少なくとも含む番号変換情報を交換装置に送信する番号変換情報送信手段と、（３）無線通信端末から取得した音声処理方式の制御情報に基づいて、無線通信端末と交換装置との間の音声通信が可能になるように音声制御する音声制御手段とを備えることを特徴とする。
【００１６】
また、第２の本発明の無線通信端末は、交換装置が収容可能とする無線通信端末アダプタ装置と接続して、構内ネットワーク回線を利用した音声通信をする無線通信端末であって、（１）無線通信端末アダプタ装置と接続可能な接続手段と、（２）所定の音声処理を行なう音声処理手段と、（３）無線通信端末アダプタ装置との接続を検知して、公衆網回線又は専用網回線との無線通信手段を停止させ、音声処理手段と無線通信端末アダプタ装置とを接続可能にする制御手段とを備えることを特徴とする。
【００１７】
さらに、第３の本発明の無線通信端末接続プログラムは、公衆網回線又は専用網回線を利用して無線通信する無線通信端末と無線通信端末アダプタ装置とを接続することで、無線通信端末を交換装置に収容させる無線通信端末接続プログラムであって、（１）無線通信端末又は無線通信端末アダプタ装置に、（２）無線通信端末の音声処理方式の制御情報に基づいて、無線通信端末と交換装置との間の音声通信が可能になるように通信制御機能と、（３）無線通信端末が有する端末情報と、無線通信端末アダプタ装置に割り当てられている識別番号とを少なくとも含む番号変換情報を交換装置に送信する番号変換情報送信機能とを実現させるためのプログラムである。
【発明の効果】
【００１８】
本発明の無線通信端末アダプタ装置、無線通信端末及び無線通信端末接続プログラムによれば、無線通信端末と無線通信端末アダプタ装置とを接続させることで、識別番号と端末情報との関連付けを交換装置に登録させることができるので、発信者側が番号選択をする必要がなく発呼することができ、無線通信端末への発呼があったときに、公衆網回線を介することなく構内ネットワーク回線を有効に利用した音声通信を行うことができる。
【発明を実施するための最良の形態】
【００１９】
以下では、本発明の無線通信端末アダプタ装置、無線端末装置及び無線通信端末接続プログラムを実施するための最良の形態について図面を参照して説明する。
【００２０】
（Ａ）第１の実施形態
第１の実施形態は、無線通信端末を構内ＬＡＮシステムに接続可能にし、無線通信端末を構内ＬＡＮシステムにおける電話機として利用し得る交換処理システムに適用した場合について説明する。
【００２１】
（Ａ−１）第１の実施形態の構成
図１は、本実施形態に係る交換処理システム１の全体構成図を示し、特に、無線通信端末１０（本実施形態では携帯電話機として説明する）と、無線通信端末アダプタ装置であるアダプタ２１０の内部構成機能を示す図である。
【００２２】
また、図５は、本実施形態に係る交換処理システム１の全体構成図を示し、特に、構内ＬＡＮシステムにおける交換機であるＩＰ電話機交換機３０の内部構成機能を示す図である。
【００２３】
図１及び図５に示すように、本実施形態の交換処理システム１は、ＩＰ電話交換機３１０、ＩＰ電話機４０Ａ及び４０Ｂ（ＩＰ電話機の一般的な機能を説明する場合には４０と示す）、アダプタ２１０を少なくとも備える構内ＬＡＮシステム６０と、公衆網５０の基地局５１と無線通信可能な携帯電話機１０とを備える。
【００２４】
構内ＬＡＮシステム６０は、ＩＰ電話交換機３１０が収容する内線網であり、ＩＰ電話機交換機３０は、図示しないが、例えば、パソコン、従来の一般電話機、構内ＰＨＳ基地局なども収容し得る。またＩＰ電話交換機３１０は、内線網６０にルータ等を設置しＩＰ回線との接続をし得る。
【００２５】
また、公衆網５０は、携帯電話機１０が通常無線通信を行なうのに使用する回線網であり、構内ネットワーク回線６０と異なるのであれば専用網であってもよい。
【００２６】
図１及び図５において、携帯電話機１０は、公衆網５０の基地局５１を介して無線通信可能な無線通信端末である。本実施形態では、無線通信端末の例として、携帯電話機を挙げるが、携帯電話機に限ることなく、例えばＰＨＳ端末、ＰＤＡ等その他無線通信端末に広く適用できる。
【００２７】
携帯電話機１０は、後述するアダプタ２１０と接続することで、アダプタ２１０がもつ音声通信機能（ＶｏＩＰ通信機能）を使用し、内線網（構内ＬＡＮ回線）６０を利用した通話を行ない、また、アダプタ２１０と接続していない場合には、基地局５１との無線通信を行なうものである。
【００２８】
携帯電話機１０は、図１に示すように、スピーカ１１、マイク１２、音声処理部１３、制御回路部１４、無線回路部１５、電源１６、スイッチ部１７を少なくとも備える。
【００２９】
制御回路部１４は、例えば、ＣＰＵ、ＲＡＭ、ＲＯＭ等が該当し、携帯電話機１０の機能を制御するものである。
【００３０】
制御回路部１４は、アダプタ２１０を携帯電話機１０本体に接続した場合に、アダプタ２１０の制御回路部２１に音声通信機能に係る制御情報を与えて、アダプタ２０と携帯電話機１０との間の音声通信を確立する接続確立機能と、予め記憶している携帯電話機１４の電話番号（以下携帯電話番号という）をアダプタ２１０に与える携帯電話番号通知機能を有するものである。
【００３１】
制御回路部１４の接続確立機能とは、アダプタ２１０を接続した場合、アダプタ２１０から接続通知を受け取り、その接続通知の検知により、無線回路部１４の無線制御機能を停止させ、スイッチ１７をｂ側からａ側に切り替えると共に（図１参照）、音声処理部１３とアダプタ２１０との間で音声信号の授受を可能にできるように音声通信機能に係る制御情報をアダプタ２０の制御回路部２１に与える機能である。これにより、アダプタ２１０を使用して構内ＬＡＮシステム６０において音声通信機能を享受し得る。
【００３２】
また、接続確立機能は、アダプタ２１０との通信ができなくなることで接続切断を検知し、無線回路部１５の無線制御機能を開始させ、スイッチ１７をａ側からｂ側に切り替える（図１参照）ことで、携帯電話機１０の無線通信を可能にするものである。
【００３３】
また、携帯番号通知機能は、アダプタ２１０との接続が確立した後に、制御回路部１４の記憶部１４ａが記憶している携帯電話番号をアダプタ２１０に与える機能である。これにより、アダプタ２１０に携帯電話番号を知らせることができ、ＩＰ電話交換機３１０に番号変換登録の要求をさせることができる。
【００３４】
スピーカ１１は、通話時に音声処理部１３により音声処理された音声を、音声処理部１３から受け取り、その音声を増幅して利用者に出力するマイクである。
【００３５】
マイク１２は、通話時に利用者が発した音声を捕捉し、捕捉した音声を音声処理部１３に与えるマイクである。
【００３６】
音声処理部１３は、所定の音声処理を行なうものである。音声処理部１３は、制御回路部１４の制御によるスイッチ１７の切り換えに応じて、制御回路部１４又はアダプタ２１０と音声信号の授受を行うものである。
【００３７】
具体的には、制御回路部１４の制御により、スイッチ１７がａ側（図１参照）に切り替えられた場合、音声処理部１３とアダプタ２１０との間で音声信号の授受を行ない、マイクが捕捉した音声を音声処理部１３が音声処理し、その音声信号を音声処理部１３からアダプタ２１０に与える。また、アダプタ２１０から受け取った音声信号を音声処理部１３が音声処理し、再現した音声をスピーカ１１に与える。
【００３８】
また、制御回路部１４の制御により、スイッチ部１７がｂ側（図１参照）に切り替えられた場合、音声処理部１３と制御回路部１４を介して無線回路部１５との間で音声信号の授受を行ない、マイクが捕捉した音声を音声処理部１３が音声処理し、その音声信号を音声処理部１３から制御回路部１４を介して無線回路部１５に与える。また、無線回路部１５から受け取った音声信号を、制御回路部１４を介して音声処理部１３が音声処理し、再現した音声をスピーカ１１に与える。
【００３９】
無線回路部１５は、公衆網５０の基地局５１と無線通信を行うために、所定の無線制御を行うものである。無線回路部１５は、制御回路部１４の制御によりスイッチ１７がｂ側（図１参照）に切り替えられた場合、制御回路部１４を介して音声処理部１３との間で音声信号の授受を行ない、基地局５１から無線受信した無線信号を無線制御（復調）し、復調した音声信号を制御回路部１４を介して音声処理部１３に与え、また、制御回路部１４を介して音声処理部１３から受け取った音声信号を無線制御（変調）し、基地局５１に与えるものである。
【００４０】
電源１６は、携帯電話機１０の各構成要件に電源電圧を供給する電源であり、携帯電話機１０本体がアダプタ２１０と接続した場合に、アダプタ２１０に対しても電源を供給するものである。
【００４１】
スイッチ１７は、制御回路部１４の制御により切り替えられるスイッチであり、携帯電話機１０本体がアダプタ２１０と接続している場合にはａ側（図１参照）に切り換え、また携帯電話機１０本体がアダプタ２１０と接続していない場合にはｂ側（図１参照）に切換えるものである。
【００４２】
コネクタ部１８は、アダプタ２１０と接続し得る接続部である。携帯電話機１０本体をアダプタ２１０に接続する際に、アダプタ２１０のコネクタ部２４と接続し、携帯電話機１０とアダプタ２１０との間のデータ通信を可能にするものである。
【００４３】
次に、アダプタ２１０の内部構成について説明する。アダプタ２１０は、図１及び図５に示すように、構内ＬＡＮシステム６０においてＩＰ電話交換機３１０に収容されるものである。また、アダプタ２１０は、携帯電話機１０本体との接続により携帯電話機１０をＩＰ電話交換機３１０に収容させるものである。
【００４４】
また、アダプタ２１０は、構内ＬＡＮシステム側６０に、ＩＰ電話機４０ＢやＶｏＩＰ機能を有する通信端末（例えばパソコン等）と接続するようにしてもよい。また、以下で詳細に説明するアダプタ２１０の機能は、携帯電話機１０に内蔵され、携帯電話機１０により実行されるようにしてもよい。
【００４５】
アダプタ２１０は、ＩＰ電話交換機３１０から一定時間毎に接続確認通知を受信し、携帯電話機１０と接続している場合には応答信号を返信し、携帯電話機１０と接続していない場合には応答信号を返信しない。これにより、アダプタ２１０は、ＩＰ電話交換機３１０に対して携帯電話機１０が接続しているか否かを知らせることができる。
【００４６】
図１に示すように、アダプタ２１０は、制御回路部２１、ネットワークＩＦ部２２、音声制御部２３、コネクタ部２４を少なくとも有する。
【００４７】
制御回路部２１は、例えば、ＣＰＵ、ＲＡＭ、ＲＯＭ等が該当し、アダプタ２１０の機能を制御するものである。また、制御回路部２１は、構内ＬＡＮシステム６０における所定の音声通信機能（ＶｏＩＰ機能）を有するものである。
【００４８】
また、制御回路部２１は、携帯電話機１０のコネクタ部１８とコネクタ部２４との間で接続した場合、携帯電話機１０の制御回路部１４から制御情報を受け取り、携帯電話機１０の音声通信機能を構内ネットワークシステム６０の音声通信機能に適合させて接続を確立する接続確立機能、接続した携帯電話機１０の携帯電話番号とアダプタ２１０の内線番号とを関連付けてＩＰ電話交換機３１０に登録させる番号変換登録要求機能とを有する。
【００４９】
なお、制御回路部２１の機能は、携帯電話機１０の制御回路部１４が有することとしてもよく、この場合、アダプタ２０は、携帯電話機１０と内線網６０との接続を可能にするインターフェースとして利用されるようにしてもよい。
【００５０】
制御回路部２１の接続確立機能とは、アダプタに接続した携帯電話機１０の電源１６から電源供給されることで、携帯電話機１０との接続を検知し、携帯電話機１０の制御回路部１４に接続通知を与えて、携帯電話機１０の音声処理部１３との間で音声信号の授受を可能にし得る機能である。これにより、アダプタ２１０の音声通信機能を使用して携帯電話機１０での音声通信を可能とすることができる。
【００５１】
また、番号変換登録要求機能とは、番号変換登録を要求するための番号変換情報をＩＰ電話交換機３１０に送信し、番号変換情報に基づいてアダプタ２１０の内線番号と携帯電話機１０の携帯電話番号とを対応付けるようにＩＰ電話交換機３１０に登録させる機能である。
【００５２】
なお、制御回路部２１は、アダプタ２１０に割り当てられた内線番号を記憶する記憶部２１を有する。ここで、図１では、アダプタ２１０が構内ＬＡＮシステム６０に単独で接続可能な場合を示しており、この場合、アダプタ２１０に内線番号が割り当てられ、制御回路部２１の記憶部２１ａが内線番号を記憶している。また、図５では、アダプタ２１０がＩＰ電話機４０Ｂと接続している場合を示し、この場合、アダプタ２１０と接続しているＩＰ電話機４０に割り当てられている内線番号を記憶部２１ａが記憶している。
【００５３】
また、ＩＰ電話交換機３１０に送信する番号変換情報は、携帯電話機１０から受け取った携帯電話番号、内線番号、携帯電話機１０とアダプタ２１０とが有効に接続したか否かを示す接続有効情報を少なくとも含む情報である。
【００５４】
ネットワークＩＦ部２２は、構内ＬＡＮシステム６０の所定の通信方式に従って接続通信を行うためのＬＡＮインターフェースである。
【００５５】
音声制御部２３は、アダプタ２１０と携帯電話機１０との間の音声信号の授受の互換性を図るものであり、携帯電話機１０及び構内ＬＡＮシステム６０で使用されるサンプリング周波数の調整や音声符号化方式の変換などをするものである。
【００５６】
コネクタ部２４は、携帯電話機１０と接続し得る接続部である。携帯電話機１０本体をアダプタ２１０に接続する際に、携帯電話機１０のコネクタ部１８と接続し、携帯電話機１０とアダプタ２１０との間のデータ通信を可能にするものである。
【００５７】
次に、図１及び図５を参照して、ＩＰ電話交換機３１０の内部構成について説明する。ＩＰ電話交換機３１０は、構内ＬＡＮシステム６０に接続可能な複数のＩＰ電話機４０又はアダプタ２１０を収容する呼交換装置である。また、ＩＰ電話交換機３１０は、公衆網５０にも接続可能である。また、ＩＰ電話交換機３１０は、図１及び図５では示していないが、共通線信号方式を採用してもよい。
【００５８】
なお、ＩＰ電話機３１０は、ルータやゲートウェイ等のネットワーク中継装置が以下に説明する呼交換処理を行なう機能を備えるようにしてもよい。
【００５９】
ＩＰ電話交換機３１０は、構内ＬＡＮシステム６０を通じて収容するアダプタ２１０に、一定時間毎に接続確認通知を送信し、応答信号の返信をしてきたアダプタ２１０が携帯電話機１０と接続していることを確認する。
【００６０】
図５において、ＩＰ電話交換機３１０は、ラインユニット３１、スイッチ回路部３２、トランクユニット３３、呼制御回路部３４、携帯電話機位置管理データベース（ＤＢ）３５、ＩＰ収容回路部３６を少なくとも備える。
【００６１】
携帯電話機位置管理ＤＢ３５は、アダプタ２１０又はＩＰ電話機４０の内線番号と、接続する携帯電話機１０の携帯電話番号とを対応付けて格納するデータベースである。また、携帯電話機位置管理ＤＢ３５は、既存する内線番号管理データベースと連携したものを適用できる。
【００６２】
呼制御回路３４は、例えば、ＣＰＵ、ＲＡＭ、ＲＯＭ等から構成されており、所定の呼の制御やスイッチ回路部３２の切り換え制御を行うものである。
【００６３】
呼制御回路部３４は、一定時間毎に接続確認通知を送信し、応答通知の返信してきたアダプタ２１０が携帯電話機１０と接続していることを確認する。
【００６４】
また、呼制御回路部３４は、携帯電話機１０と接続しているアダプタ２１０から番号変換情報を受け取り、アダプタ２１０の内線番号と、アダプタ２１０に接続している携帯電話機１０の携帯電話番号とを対応付けて携帯電話位置管理ＤＢ３５に登録するものである。さらに、呼制御回路部３４は、アダプタ２１０から応答通知の返信がないことにより、携帯電話機１０との接続切断を検出し、当該アダプタ２１０の内線番号に対応付けている携帯電話機１０の携帯電話番号の登録を削除するものである。
【００６５】
また、呼制御回路部３４は、発呼があった場合に、送信先番号に基づいて携帯電話位置管理ＤＢを参照してスイッチ回路部３２のスイッチング制御を行なうものである。
【００６６】
例えば、呼制御回路部３４は、内線網６０から携帯電話機１０に対して発信があった場合、送信先番号に基づいて携帯電話位置管理ＤＢ３５の携帯電話番号を参照して送信先番号に対応する携帯電話番号があるかどうかを検索し、対応するする携帯電話番号があった場合に、その送信先番号（携帯電話番号）に対応する内線番号を検出し、その内線番号が割り当てられているアダプタ２１０に対して送信できるように、スイッチ回路部３２を制御する。
【００６７】
スイッチ回路部３２は、内線網６０又は公衆網５０からの発呼等の状態を監視し、呼制御回路３４の制御によりスイッチングを行ない、送信先番号が割り当てられたＩＰ電話機４０又はアダプタ２１０との通話を行うようにするものである。
【００６８】
ラインユニット３１は、構内ＬＡＮシステム６０の内線網を収容するものであり、収容するＩＰ電話機４０Ａ及び４０Ｂ、又は、アダプタ２１０との音声信号の通話処理を行うものである。
【００６９】
ＩＰ収容回路部３６は、内線網を収容するものであり、構内ＬＡＮシステム６０で使用される通信伝送方式（ＩＰプロトコル）に従った処理や物理層に関する処理を行うものである。
【００７０】
トランクユニット３３は、公衆網５０を収容するものであり、収容する公衆網との通話を行なうものである。
【００７１】
（Ａ−２）第１の実施形態の動作
次に、本実施形態に係る交換処理システム１の動作について図面を参照して説明する。
【００７２】
以下では、携帯電話機１０とアダプタ２１０との接続に係る動作、携帯電話機１０とアダプタ２１０との接続切断係る動作、携帯電話機１０に対する発呼があった場合のＩＰ電話交換機３１０の動作について説明する
（Ａ−２−１）携帯電話機１０とアダプタ２１０との接続に係る動作
以下では、携帯電話機１０とアダプタ２１０との接続により、携帯電話機１０、アダプタ２１０及びＩＰ電話交換機３１０の動作について説明する。図６は、携帯電話機１０とアダプタ２１０との接続に係る動作について示すシーケンス図である。
【００７３】
図６において、携帯電話機１０とアダプタ２１０とが接続すると（Ｓ１）、携帯電話機１０のコネクタ部１８とアダプタ２１０のコネクタ部２４との導通部分が接触し、携帯電話機１０の電源１６から供給電力がアダプタ２１０に与えられ、アダプタ２１０の動作が開始する（Ｓ２）。
【００７４】
アダプタ２１０の動作が開始すると、アダプタ２１０の制御回路部２１から、携帯電話機１０の制御回路部１４へ接続通知が与えられる（Ｓ３）。
【００７５】
アダプタ２１０の制御回路部２１から接続通知を受けると（Ｓ４）、携帯電話機１０は、制御回路部１４の制御により、無線回路部１５の無線制御機能が停止され（Ｓ５）、また音声処理部１３とアダプタ２１０の制御回路部２１との間での音声信号の授受ができるようにスイッチ１７がａ側に切り替えられる（Ｓ６）。
【００７６】
これにより、携帯電話機１０の音声処理部１３と、アダプタ２１０の制御回路部２１とが接続し、音声信号の授受が可能となる。また、アダプタ２１０の制御回路部２１は、携帯電話機１０の制御回路部１４とも接続し、制御回路部１４による電話機としての操作を受けることができる。
【００７７】
例えば、アダプタ２１０と接続した携帯電話機１０から、他の電話機（内線網６０又は公衆網５０に接続している電話機）に発信する場合、制御回路部２１は、利用者により操作された送信先番号を制御回路部１４から受け取り、その受け取った送信先番号に基づいてＩＰ電話交換機３１０に対して発呼処理する。なお、この場合、送信元番号は、アダプタ２１０に割り当てられた内線番号とする。これにより、ＩＰ電話交換機３１０による交換処理をスムースにすることができる。
【００７８】
携帯電話機１０において、制御回路部１４によるスイッチ１７の切り替え制御がなされると、記憶部１４ａに記憶されている携帯電話機１０の携帯電話番号（例えばＮ１０）が、制御回路部１４から制御回路部２１に与えられる（Ｓ７）
携帯電話機１０の制御回路部１４からアダプタ２１０の制御回路部２１に携帯電話番号（Ｎ１０）が与えられると（Ｓ８）、携帯電話番号（Ｎ１０）、アダプタ２１０に割り当てられている内線番号（Ｎ４０）及び接続有効情報を含む番号変換情報が、アダプタ２１０からＩＰ電話交換機３１０に与えられる（Ｓ９）。
【００７９】
アダプタ２１０から番号変換情報がＩＰ電話交換機３１０に与えられると（Ｓ１０）、ＩＰ電話交換機３１０において、呼制御回路部３４の制御により、アダプタ２１０の内線番号（Ｎ４０）と携帯電話番号（Ｎ１０）とは対応付けられて携帯電話位置管理ＤＢ３５に登録される（Ｓ１１）。
【００８０】
これにより、携帯電話機１０に対する発信（Ｎ１０に対する発信）があった場合に、アダプタ２１０に割り当てられた内線番号（Ｎ４０）への発信として番号変換させることができる。
【００８１】
（Ａ−２−２）携帯電話機１０とアダプタ２１０との接続切断係る動作
次に、携帯電話機１０とアダプタ２１０との接続切断により、携帯電話機１０、アダプタ２１０及びＩＰ電話交換機３１０の動作について説明する。図７は、携帯電話機１０とアダプタ２１０との接続切断に係る動作について示すシーケンス図である。
【００８２】
図７において、携帯電話機１０からアダプタ２１０が取り外されると（Ｓ２１）、アダプタ２１０では、携帯電話機１０からの電源供給がなくなり、電力供給がなくなるためアダプタ２１０の動作が停止する（Ｓ２５）。
【００８３】
一方、携帯電話機１０では、アダプタ２１０の取り外しにより、制御回路部１４がアダプタ２１０の制御回路部２１との通信ができなくなり、これにより制御回路部１４は、アダプタ２１０との切断を検知する（Ｓ２２）。
【００８４】
携帯電話機１０において、制御回路部１４によりアダプタ２１０との切断が検知されると、制御回路部１４の制御により、無線回路部１５の無線制御機能を開始させて無線回路部１５の無線制御機能が回復される（Ｓ２３）。
【００８５】
また、無線制御回路部１５の無線制御機能が開始させると、制御回路部１４の制御により、音声処理部１３と制御回路部１４との間で音声信号の授受ができるようにスイッチ１７がｂ側に切り替えられる（Ｓ２４）。
【００８６】
これにより、アダプタ２１０との接続切断後、携帯電話機１０は、公衆網５０の基地局５１との無線通信が可能となる。
【００８７】
また、Ｓ２５において、アダプタ２１０の動作が停止すると、ＩＰ電話交換機３１０から一定時間毎に与えられる接続確認通知（Ｓ２６）に対する応答信号の返信がなくなる。ＩＰ電話交換機３１０は、アダプタ２１０からの応答なしを確認することで、アダプタ２１０と携帯電話機１０との接続が切断したことを確認する（Ｓ２７）。
【００８８】
そして、ＩＰ電話交換機３１０において、呼制御回路部３４の制御により、携帯電話位置管理ＤＢ３５に登録されているアダプタ２１０の内線番号（Ｎ４０）に対応付けられている携帯電話番号（Ｎ１０）の登録が削除される（Ｓ２９）。
【００８９】
（Ａ−２−３）登録されている携帯電話機１０に対する発呼があった場合のＩＰ電話交換機３１０の動作
次に、ＩＰ電話交換機３１０の携帯電話位置管理ＤＢに、アダプタ２１０に対応付けて携帯電話番号が登録されている場合に、内線網６０に接続するＩＰ電話機４０Ａから携帯電話機１０に対して発信があったときの動作について図８を参照して説明する。
【００９０】
図８において、ＩＰ電話機４０Ａから携帯電話機１０の携帯電話番号（Ｎ１０）に対して発信がなされると（Ｓ３１）、ＩＰ電話交換機３１０の呼制御回路３４はＩＰ電話機４０Ａから発呼を受ける（Ｓ３２）。
【００９１】
呼制御回路部３４がＩＰ電話機４０Ａから発呼を受けると、ＩＰ電話交換機３１０の呼制御回路部３４により、送信先番号である携帯電話番号（Ｎ１０）が携帯位置管理ＤＢ３５に登録されているかの検索を行なう（Ｓ３３）。
【００９２】
この検索方法は特に限定されないが、例えば、携帯電話位置管理ＤＢ３５に登録されている携帯電話番号を順番に検索したり、又は登録されている携帯電話番号を一度に総当たりして検索してもよい。
【００９３】
呼制御回路部３４による送信先番号の検索により、送信先番号である携帯電話番号（Ｎ１０）が携帯電話位置管理ＤＢ３５に登録されている場合、その携帯電話番号（Ｎ１０）に対応する内線番号（Ｎ２０）が呼制御回路部３４により読み出される（Ｓ３４）。
【００９４】
携帯電話番号（Ｎ１０）に対応する内線番号（Ｎ２０）が読み出されると、呼制御回路部３４により、その内線番号（Ｎ２０）が送信先番号（呼び出し番号）として置き換えられ、この内線番号（Ｎ２０）に基づいてスイッチング制御がなされる（Ｓ３５）。
【００９５】
この呼制御回路部３４による交換処理により、送信先番号として内線番号（Ｎ２０）に変換された情報が、ラインユニット３１及びＩＰ収容回路部３６により所定の通話処理がなされ、内線網６０を通じてアダプタ２１０に与えられる（Ｓ３６）。
【００９６】
アダプタ２１０に情報が着信すると、ＩＰ電話機４０Ａとアダプタ２１０との間で通話が開始され、ＩＰ電話機４０Ａからの音声信号は、アダプタ２１０の制御回路部２１により、携帯電話機１０の通話に応じた処理がなされ、音声処理部１３に与えられる。そして、音声信号は、音声処理部１３での音声処理により音声が再現される（Ｓ３７）。
【００９７】
一方、Ｓ３３において、呼制御回路部３４による送信先番号の検索により、送信先番号である携帯電話番号（Ｎ１０）が携帯電話位置管理ＤＢ３５に登録されていない場合、呼制御回路部３４は、当該携帯電話機１０は内線網６０に接続していないと判断し、その送信先番号（携帯電話番号（Ｎ１０））に基づいて、公衆網５０（外線）への発信として交換処理を行われる（Ｓ３８）。
【００９８】
呼制御回路部３４による交換処理がなされると、ＩＰ電話機４０Ａからの情報は、トランクユニット３３により所定の通話処理がなされて、公衆網５０に接続され（Ｓ３９）、公衆網５０を通じて携帯電話機１０に発信される（Ｓ４０）。
【００９９】
（Ａ−３）第１の実施形態の効果
以上のように、第１の実施形態によれば、アダプタ２１０を携帯電話機１０に接続することで、携帯電話機２０の無線通信機能を停止させることができるので、公衆網５０の基地局５１による監視は必要としない。
【０１００】
また、第１の実施形態によれば、音声通信機能を有するアダプタ２１０を携帯電話機１０に接続することで、携帯電話機１０はアダプタ２１０の音声通信機能を使用することができるので構内ＬＡＮシステム６０を構成する電話機として使用することができる。
【０１０１】
さらに、第１の実施形態によれば、ＩＰ電話交換機３１０が、アダプタ２１０に割り当てられている内線番号と携帯電話番号とを対応付けて登録することができるので、携帯電話機１０の番号で発信することで自動的に相手先を見つけ出し通話することができる。また、内線発信者は、内線番号と携帯電話番号とを区別することなく発信することができる。
【０１０２】
さらにまた、第１の実施形態によれば、ＩＰ電話交換機３１０は、携帯電話機１０とアダプタ２１０との接続状態に応じて、内線又は外線として切り替えることができる。
【０１０３】
具体的には、アダプタ２１０を携帯電話機１０に接続している場合、内線発信者が携帯電話機１０に発信したときであっても、ＩＰ電話交換機３１０が携帯電話機１０との通話を内線通話として扱うことができるので、安定かつ安価な回線を充分に利用することができる。
【０１０４】
また、ＩＰ電話交換機３１０が、携帯電話機１０とアダプタ２１０との接続切断の検知により携帯電話番号の削除を行ない、削除した携帯電話番号への発信があった場合、公衆網５０を通じて携帯電話機１０に発信処理を行なうことができるので、アダプタ２１０を取り外した後であっても携帯電話機１０との通話を実現することができる。
【０１０５】
（Ｂ）第２の実施形態
第２の実施形態は、アナログ内線電話網に適用した場合の交換処理システムについて説明する。
【０１０６】
（Ｂ−１）第２の実施形態の構成
図９は、第２の実施形態の交換処理システム２の全体構成を示し、特に、携帯電話機１０及びアダプタ２１０の内部構成について詳細に示す。
【０１０７】
なお、図９において、図１で詳細に説明した対応する構成について対応する符号を付して示す。また、以下では、第１の実施形態で説明した構成についての詳細な説明は省略し、第２の実施形態に特有の構成について詳細に説明する。
【０１０８】
図９において、第２の実施形態の交換処理システム２は、電話交換機３１０、電話交換機３１０が収容するアナログ内線電話網６１、電話交換機３１０が収容する一般電話機４０Ｃとアダプタ２２０、また電話交換機３１０が収容する公衆網５０、公衆網５０に接続可能な基地局５１、携帯電話機１０を備える。
【０１０９】
携帯電話機１０は、第１の実施形態で説明した携帯電話機である。
【０１１０】
アダプタ２２０は、携帯電話機１０をアナログ内線電話網６１に収容させるものである。アダプタ２２０は、コネクタ部１８及び２４を通じて携帯電話機１０と接続し、携帯電話機１０の電源１６から電源供給を受けて動作を開始するものである。
【０１１１】
図９に示すように、アダプタ２２０は、制御回路部２５、音声制御部２６、ライン制御回路部２７、コネクタ部２４を有する。
【０１１２】
制御回路部２５は、第１の実施形態の制御回路部２１と同様に、接続確立機能と番号変換登録要求機能とを有すると共に、音声制御回路部２６とライン制御回路部２７を制御するものである。制御回路部２５は、携帯電話機１０と接続すると、音声制御部２６と携帯電話機１０の音声処理部１３とを接続させて音声信号の授受を可能にさせるものである。また、制御回路部２５は、ライン制御回路部２７を制御し、アナログ内線電話網６１とアダプタ２２０との間の信号処理を可能にさせるものである。
【０１１３】
音声制御部２６は、携帯電話機１０と接続すると、音声処理部１３との間で音声信号の授受を行うものである。音声制御部２６は、音声処理部１３から音声信号（デジタル信号）を受け取り、その音声信号をアナログ変換し、アナログ変換した音声（アナログ信号）をライン制御回路部２７に与えるものである。また、音声制御部２６は、ライン制御回路部２７から音声（アナログ信号）を受け取り、その音声をデジタル変換し、デジタル変換した音声信号を音声処理部１３に与えるものである。
【０１１４】
ライン制御回路部２７は、アダプタ２０とアナログ内線電話網６１側とのインターフェース部であり、アナログ回線に対応可能なライン回路である。ライン制御回路部２７は、アナログ内線電話網６１との発呼等の監視機能、呼出信号送出機能等のアナログ内線電話網６１との間の通信処理機能を有する。
【０１１５】
ライン制御回路部２７は、電話交換機３１０からの発呼を検出し、所定シーケンスにより音声を受け取り、その音声を音声制御部２６に与えるものである。また、ライン制御回路部２７は、音声制御部２６から音声を受け取り、アナログ内線電話網６１を通じてＩＰ電話交換機３０に与えるものである。
【０１１６】
（Ｂ−２）第２の実施形態の動作
図１０は、携帯電話機１０とアダプタ２２０との接続に係る動作を示す。
【０１１７】
図１０において、携帯電話機１０にアダプタ２０が接続され、携帯電話機１０において無線回路機能が停止されると共にスイッチ１７が切り替えられ、携帯電話番号がアダプタ２０に与えられるまでの動作は第１の実施形態と同様であるので、ここまでの詳細な説明は省略する（Ｓ１〜Ｓ７）。
【０１１８】
携帯電話機１０からの携帯電話番号がアダプタ２２０に与えられると、制御回路部２５は、アダプタ２２０に予め割り当てられている内線番号と、携帯電話番号と、登録有効情報とを少なくとも含む番号変換情報をライン制御回路部２７を介して電話交換機３１０に与える（Ｓ４１）。ここで、番号変換情報は、例えば、通知用特番への発信やモデム信号などアナログ回線に対応できる形式で送出される。
【０１１９】
電話交換機３１０に番号変換情報が与えられると、電話交換機３１０において、内線番号と携帯電話番号とが対応付けられて登録される（Ｓ４２及びＳ１１）。
【０１２０】
次に、携帯電話機１０とアダプタ２２０との接続切断に係る動作について図１１を参照して説明する。
【０１２１】
図１１において、携帯電話機１０がアダプタ２２０から取り外された場合の携帯電話機１０の動作及びアダプタ２２０の動作は、第１の実施形態と同様であるため省略する（Ｓ２１〜Ｓ２５）。
【０１２２】
また、Ｓ２５において、アダプタ２２０の動作が停止する。また、電話交換機３１０は、アダプタ２２０に対して一定時間毎に接続確認通知を送信している（Ｓ４３）。例えば、電話交換機３１０は、アナログ内線電話網６１を通じてモデム信号として接続確認通知をアダプタ２２０に通知する。
【０１２３】
そして、アダプタ２２０からの応答信号の返信がないことにより携帯電話機１０とアダプタ２２０との切断を検出する（Ｓ２７、Ｓ２８）。
【０１２４】
電話機交換機３１０において、アダプタ２２０と携帯電話機１０との切断検出後、アダプタ２２０に対応付けられている携帯電話番号を削除する（Ｓ２９）。
【０１２５】
次に、一般電話機４０Ｃから携帯電話機１０に対する発呼があった場合の動作について図１２を参照して説明する。
【０１２６】
電話機４０Ｃから携帯電話機１０に発呼する場合（Ｓ４４）、まず、電話機４０Ｃは、電話交換機３１０に発呼する（Ｓ４５）。このとき、電話機４０Ｃによる発呼は、アナログ回線の所定シーケンスによるものである。
【０１２７】
電話交換機３１０は、電話機４０Ｃからダイヤル番号を受け取り、そのダイヤル番号が携帯電話位置管理ＤＢ３５に登録されているかどうかを検索する（Ｓ３３）。そして、ダイヤル番号が携帯電話位置管理ＤＢ３５に登録されていない場合の動作は第１の実施形態の動作と同様であるので省略する（Ｓ３８〜Ｓ４０）。
【０１２８】
ダイヤル番号が携帯電話位置管理ＤＢ３５に登録されている場合、検出した携帯電話番号と対応する内線番号を割り出し、その内線番号を発呼先番号（ダイヤル番号）として変換する（Ｓ３４）。
【０１２９】
発呼先番号として内線番号に変換すると、内線番号に対応するアダプタ２２０に電話交換機３１０から内線として発信がある（Ｓ４６）。このとき、アダプタ２２０のライン回路制御部２７が、電話交換機３１０との間でのアナログ回線の所定シーケンスを行なう。
【０１３０】
ライン回路制御部２７と電話交換機３１０との間で所定シーケンスが行なわれ、通話が開始すると、電話交換機３１０からの音声がライン回路制御部２７を介して音声制御部２６に与えられる。そして、音声制御部２６により音声のＡ／Ｄ変換が行なわれ、携帯電話機１０の音声処理部１３との間で音声信号の通信を行う（Ｓ４７）。
【０１３１】
（Ｂ−３）第２の実施形態の効果
以上、第２の実施形態によれば、アダプタ２２０の網側インタフェースをアナログ電話網対応に変えることにより、アナログ電話網においても、携帯電話への着信を公衆網を経由せず内線へ切り替えての通話を行うことが可能となり、より安価な回線を発信者が選択することなく自動的に利用することが可能となる。
【０１３２】
（Ｃ）第３の実施形態
（Ｃ−１）第３の実施形態の構成
図１３は、第３の実施形態の交換処理システムの全体構成図である。図１３に示すように、第３の実施形態の交換処理システム３は、ＩＰ電話交換機３１０と、ＩＰ電話交換機３１０が収容するパソコン（ＰＣ）７０及びＩＰ電話機４０と、そのパソコンと接続可能なアダプタ２３０と、そのアダプタ２３０と接続することでＩＰ電話交換機３１０に収容され得る携帯電話機１０とを備える。
【０１３３】
第３の実施形態が第１の実施形態と異なる点は、アダプタ２３０がソフトウェアＩＰ電話機能を有するパソコン７０に接続可能である点、携帯電話機１０とアダプタ２３０に接続することで、携帯電話機１０が記録する携帯電話情報をパソコン７０に取り込むことができる点である。
【０１３４】
パソコン７０は、一般的なパソコンやＰＤＡ等の情報処理端末が該当し、ＩＰ電話交換機３１０に収容されるものである。また、パソコン７０は、パソコンの制御回路（例えばＣＰＵ等）に読み取り可能な、ＩＰ電話としての機能を実行するソフトウェア７１を有する。これにより、パソコン７０は、ＩＰ電話交換機３１０に収容されるＩＰ電話機として機能する。
【０１３５】
また、パソコン７０は、携帯電話機１０がアダプタ２３０と接続した場合に、アダプタ２３０を通じて携帯電話機１０が有する携帯電話情報を取り込むことが可能である。そして、パソコン７０は、携帯電話情報と同時にアダプタ２３０から番号変換要求を受け取ると、その携帯電話情報に含まれている携帯電話番号を取り出し、番号変換情報をＩＰ電話交換機３１０に送信する。
【０１３６】
この携帯電話情報とは、携帯電話機１０が記録している情報であり、例えば、携帯電話機１０の携帯電話番号、着信履歴、送信履歴、電話帳、受信メール履歴、送信メール履歴、スケジュール情報等である。
【０１３７】
従って、パソコン７０は、携帯電話情報を取り込むことができるので、携帯電話情報を使用して通信することができる。また、パソコン７０は、これら携帯電話情報について加工（削除、変更、追加等）することができ、さらに、携帯電話機１０に加工後の情報を記憶させることができる。
【０１３８】
アダプタ２３０は、第１の実施形態と同様に、接続した携帯電話機１０をＩＰ電話交換機３１０に収容させるものであり、またパソコン７０と接続するものである。なお、本実施形態において、アダプタ２３０は、直接パソコン７０と接続するものとして説明するが、独立した装置であり、内線網６０を介して特定のパソコン７０と通信し得るものであってもよい。
【０１３９】
アダプタ２３０は、図１３に示すように、制御回路部２８と、ＰＣ接続インターフェース（ＩＦ）２９を少なくとも有する。ＰＣ接続ＩＦ２９は、パソコン７０とアダプタ２３０との間の接続インターフェースである。
【０１４０】
制御回路部２８は、携帯電話機１０と接続した場合に携帯電話機１０の音声処理部１３との通信を可能にすると共に、制御回路部１４からの操作指示を受けるものである。
【０１４１】
また、制御回路部２８は、携帯電話機１０の制御回路部１４から携帯電話情報を受け取り、その携帯電話情報をＰＣ接続ＩＦ２９を介してパソコン７０に与えるものである。このとき、制御回路部２８は、携帯電話情報と共に番号変換要求をパソコン７０に与える。
【０１４２】
（Ｃ−２）第３の実施形態の動作
まず、携帯電話機１０とアダプタ２３０との接続に係る動作について図１４を参照して説明する。
【０１４３】
図１４に示すように、携帯電話機１０とアダプタ２３０とが接続すると（Ｓ５１）、それぞれコネクタ部１８及び２４が接触し、アダプタ２３０は電池１６から電力供給を受けて、アダプタ２３０が動作を開始する（Ｓ５２）。
【０１４４】
アダプタ２３０が動作を開始すると、制御回路部２８から制御回路部１４へ接続通知を行ない（Ｓ５３）、携帯電話機１０において、制御回路部１４の制御により、無線回路部１５の無線制御機能が停止すると共に、スイッチ１７がａ側に切り替えられる（Ｓ５４）。
【０１４５】
これにより、アダプタ２３０の制御回路部２８と、携帯電話機１０の音声処理部１３及び制御回路部１４とが接続する（Ｓ５５）。
【０１４６】
アダプタ２３０と携帯電話機１０との接続が確立すると、携帯電話機１０の制御回路部１４が記憶する携帯電話情報が、アダプタ２３０の制御回路部２８に与えられる。
【０１４７】
アダプタ２３０の制御回路部２８は、制御回路部１４から携帯電話情報を受け取ると、その携帯電話情報と共に番号変換要求をパソコン７０に与える（Ｓ５６）。
【０１４８】
アダプタ７０から番号変換要求を受け取ると、パソコン７０は、その携帯電話情報に含まれている携帯電話番号を取り出し、番号変換情報をＩＰ電話交換機３１０に与えて、パソコン７０に割り当てられている内線番号と携帯電話番号とを関連付けてＩＰ電話交換機３１０に登録させる（Ｓ５７）。この登録方法は、第１の実施形態と同様なので詳細は省略する。
【０１４９】
パソコン７０は、アダプタ７０から携帯電話情報を取り込むことができるので、ＩＰ電話機能を用いて携帯電話情報を使用することができる。
【０１５０】
次に、携帯電話機１０からアダプタ２３０の接続切断に係る動作について図１５を参照して説明する。
【０１５１】
まず、携帯電話機１０からアダプタ２３０が外されると（Ｓ６１）、アダプタ２３０は、電池１６からの電力が受けられなくなり動作停止する（Ｓ６２）。
【０１５２】
次に、制御回路部１４は、制御回路部２８との通信ができなくなるため、アダプタ２３０との切断を判断して（Ｓ６３）、携帯電話機１０の無線回路部１５を再開すると共に、スイッチ１７をｂ側に切り替える（Ｓ６４）。
【０１５３】
一方、パソコン７０は、動作停止となったアダプタ２３０との通信ができなくなるため、携帯電話機１０とアダプタ２３０とが切断したと判断する（Ｓ６５）。
【０１５４】
携帯電話機１０とアダプタ２０との切断を検知すると、パソコン７０のソフトウェアＩＰ電話７１により、登録した携帯電話番号の削除を要求する離脱要求をＩＰ電話機３１０に対して送信する（Ｓ６６）。この離脱要求は、パソコン７０の内線番号に関連付けられている携帯電話番号を削除することを要求するものである。
【０１５５】
パソコン７０から離脱通知を受信すると、ＩＰ電話交換機３１０において、携帯電話位置管理ＤＢ３５に登録されている携帯電話番号が削除される（Ｓ６７）。
【０１５６】
次に、ＩＰ電話機４０Ａから携帯電話機１０に発信があった場合の動作について説明する。
【０１５７】
図１６は、ＩＰ電話機４０ＡからＩＰ電話交換機３１０へ登録された携帯電話１０への発信が起こると（Ｓ３１、Ｓ３２）、ＩＰ電話交換機３１０では、まず発信先である携帯電話番号が、携帯電話位置管理ＤＢ３５に登録されているかを検索する（Ｓ３３）。検索の結果、携帯電話番号が携帯電話位置管理ＤＢ３５に登録されていない場合は、公衆網５０に発信して公衆網５０経由で携帯電話機１０と通話する（Ｓ３８〜Ｓ４０）。
【０１５８】
また、Ｓ３３での検索の結果、携帯電話番号が携帯電話位置管理ＤＢ３５に登録されていれば、検出した携帯電話番号に対応する内線番号を読み出し、この内線番号を送信先番号として置き換えて発信処理を継続する（Ｓ３４）。
【０１５９】
このＩＰ電話交換機３１０が内線として発信することで、ソフトウェアＩＰ電話７１に着信し（Ｓ６８）、ＩＰ電話機４０ＡとソフトウェアＩＰ電話７１の間で通話が開始される（Ｓ６９）。ソフトウェアＩＰ電話７１は音声情報を、アダプタ２３０を経由して携帯電話機１０の音声制御部１３との間で授受することができ通話を行うことができる。
【０１６０】
（Ｃ−３）第３の実施形態の効果
以上のように、本実施形態によれば、アダプタ２３０をパソコン７０に接続することにより、パソコン７０のソフトウェアＩＰ電話機能７１を利用し、携帯電話機１０への着信を公衆網５０を経由せず、パソコン７０のソフトウェアＩＰ電話７１へ切り替えての通話を行うことが可能となり、より安価な回線を発信者が選択することなく自動的に利用することが可能となる。
【０１６１】
さらに、本実施形態によれば、携帯電話機１０から電話帳や発着信履歴情報等の携帯電話情報を読み出すことができるので、ソフトウェアＩＰ電話からの発信時に利用することも可能となる。
【０１６２】
（Ｄ）第４の実施形態
（Ｄ−１）第４の実施形態の構成
図１７は、第４の実施形態の交換処理システムの全体構成を示す。
【０１６３】
第４の実施形態が第１の実施形態と異なる点は、ＩＰ電話交換機が登録一覧情報提供部を有し、携帯電話位置管理ＤＢ３５に登録されている登録一覧情報を収容するＷｅｂ端末に提供する点である。
【０１６４】
図１７に示すように、第４の実施形態の交換処理システム４は、ＩＰ電話交換機３２０と、ＩＰ電話交換機３２０に収容されるアダプタ２１０やＩＰ電話機４０やＷｅｂ端末８０を備える。
【０１６５】
ＩＰ電話交換機３２０は、第１の実施形態で説明した構成に加えて、登録一覧情報提供部３７を有する。
【０１６６】
この登録一覧情報提供部３７は、情報処理能力のある制御回路などを有するＷｅｂサーバ等が該当し、収容するＷｅｂ端末８０からの要求に応じて、携帯電話位置管理ＤＢ３５に登録されている登録一覧情報を読み出す読み出し機能と、その登録一覧情報をテキスト形式（例えばＨＴＭＬ形式）に変換してＷｅｂ端末８０に与える変換機能とを有するものである。
【０１６７】
なお、登録一覧情報提供部３７は、テキスト形式に変換した登録一覧情報をＩＰ収容回路部３６を介して送信する。
【０１６８】
なお、この登録一覧情報とは、携帯電話位置管理ＤＢ３５が登録している管理情報であり、例えば、携帯電話番号、その携帯電話機の利用者情報（利用者識別情報）、接続する内線番号等である。
【０１６９】
（Ｄ−２）第４の実施形態の動作
次に、携帯電話機１０とアダプタ２１０とが接続した場合に、ＩＰ電話交換機３２０が番号変換登録する動作について図１８を参照して説明する。
【０１７０】
図１８は、特にＩＰ電話交換機３２０の動作が示すものであり、携帯電話機１０及びアダプタ２１０の動作の説明については第１の実施形態で詳細に説明したので省略する。
【０１７１】
アダプタ２１０が携帯電話機１０に接続されると、アダプタ２１０は動作を開始し（Ｓ１）、番号変換情報がアダプタ２１０からＩＰ電話交換機３２０に与えられる（Ｓ７０）。
【０１７２】
Ｓ７１に示すように、本実施形態での番号変換情報は、アダプタ２１０又はＩＰ電話機４０Ａの内線番号と、接続した携帯電話機１０の携帯電話番号、接続有効情報、およびその携帯電話機１０の利用者識別情報（例えば、利用者の氏名、従業員番号、他のＩＤ番号等）である（Ｓ７１）。
【０１７３】
アダプタ２１０から番号変換情報を受け取ると、ＩＰ電話交換機３２０において、呼制御回路部３４により、番号変換情報が携帯電話位置管理ＤＢ３５に登録される（Ｓ７２）。
【０１７４】
このようにして、利用者識別情報を含めた情報が携帯電話位置管理ＤＢ３５に登録される。
【０１７５】
次に、アダプタ２１０と携帯電話機１０とを接続切断した場合の動作について図１９を参照して説明する。
【０１７６】
図１９では、ＩＰ電話交換機の動作について説明するものであり、携帯電話機１０及びアダプタ２１０の動作については省略する。
【０１７７】
アダプタ２１０が携帯電話機１０から取り外されると，アダプタ２１０は動作を停止する（Ｓ２１及びＳ２５）。また、ＩＰ電話交換機３２０から一定時間毎に送信している接続確認通知に対して応答信号がない場合に、当該アダプタ２１０について切断がなされたことを検知する（Ｓ２６〜２８）。
【０１７８】
呼制御回路部３５は、アダプタ２１０の切断を検知すると、その登録した情報を削除するのではなく、番号変換無効の状態にする（Ｓ７３）。これにより、登録情報を残しつつも、番号変換処理を行なわなくてもよい。
【０１７９】
次に、内線発信者がＩＰ電話機４０Ａから携帯電話機１０へ発信する場合の手順について図２０を参照して説明する。
【０１８０】
図２０において、まず、発信者の操作によりＷｅｂ端末８０から登録一覧情報提供部３７へ、登録一覧情報の要求を行なう（Ｓ７４）。
【０１８１】
Ｗｅｂ端末登録一覧情報提供部３７は、携帯電話位置管理ＤＢ３５に登録されている情報を全て読み出して、これをテキスト形式（ＨＴＭＬ形式）に変換する。そして、テキスト形式（ＨＴＭＬ形式）に変換した登録一覧情報をＩＰ収容回線部３６を介してＷｅｂ端末８０へ送信する（Ｓ７５）。
【０１８２】
本実施形態では、登録一覧情報は、携帯電話機１０の携帯電話番号（Ｎ１０）、利用者識別情報、アダプタ２１０又はＩＰ電話機４０Ｂの内線番号（Ｎ２０）が登録されているものとする。
【０１８３】
Ｗｅｂ端末８０では、登録一覧情報提供部３７から受け取った登録一覧情報を表示し、発信者はＷｅｂ端末８０に表示された利用者識別情報及び携帯電話番号（外線番号）を見て、発信したい相手の携帯電話番号（外線番号）を選択する。
【０１８４】
Ｗｅｂ端末８０は、携帯電話番号（Ｎ１０）を選択したら、その携帯電話番号（Ｎ１０）をＩＰ電話機４０Ａに与えて所定の発呼開始要求を行ない（Ｓ７６）、ＩＰ電話機４０ＡからＩＰ電話機１に発呼を行う（Ｓ７７）。
【０１８５】
ＩＰ電話交換機３２０では、ＩＰ電話機４０Ａからの発呼を呼制御回路１４で受ける。このとき、Ｎ１０は携帯電話位置管理ＤＢ３５に登録されている（Ｓ７８）。
【０１８６】
呼制御回路部３４は、携帯電話位置管理ＤＢ３５から、外線番号Ｎ１０に関連付けられた内線番号Ｐ（＝Ｎ２０）を読み出し、その内線番号を送信先番号として置き換えて内線への通話として処理を行なう。
【０１８７】
これにより、第１の実施形態の場合と同様に、ラインユニット３１とＩＰ電話機４０Ａとの通話を行うことができ、アダプタ２１０を介して携帯電話機１０による通話を行うことができる（Ｓ３４〜Ｎ３６）。
【０１８８】
（Ｄ−３）第４の実施形態の効果
以上のように、第４の実施形態によれば、第１の実施形態に更にＷｅｂ端末８０を備え、またＩＰ電話交換機３２０が登録一覧情報提供部３７を設けることで、ＩＰ電話機４０Ａから携帯電話機１０に発呼する際、同一の電話番号（携帯電話番号Ｎ１０）で内線と外線の方路の切り替えができることに加え、登録された発信先番号をＷｅｂ端末８０を使用した簡略な方法で選択し、発呼することが可能となる。
【０１８９】
（Ｅ）第５の実施形態
（Ｅ−１）第５の実施形態の構成
図２１は、第５の実施形態に係る交換処理システム５の全体構成図である。
【０１９０】
図２１に示すように、本実施形態に係る交換処理システム５は、第１の実施形態交換処理システム１とアダプタ２４０の構成が異なる。従って、以下ではアダプタ２４０の内部構成について詳細に説明し、第１の実施形態と対応する構成については対応する符号を付した。
【０１９１】
アダプタ２４０は、内線網６０を介してＩＰ電話交換機３１０に収容されるものであり、１又は複数の携帯電話機１０と接続し得るものである。また、アダプタ２４０は、１又は複数のＩＰ電話機４０Ｄ（ここでは１台のＩＰ電話機とする）と接続可能であり、携帯電話機１０がセットされた後、携帯電話機１０の利用者の選択により携帯電話機１０への着信をＩＰ電話機４０Ｄに転送させることができるものである。
【０１９２】
図２１に示すように、アダプタ２４０は、制御回路部２４１、スイッチ（ＳＷ）２４２、ネットワークＩＦ部２４３、ボタン２４４〜２４６を有する。なお、スイッチ２４２は、１個として示すが、アダプタ２４０が接続許容できる携帯電話機１０数に応じた数を備える。また、ボタン２４２〜２４６は３個として示すが、転送先であるＩＰ電話機４０Ｄの数に応じた数を備える。
【０１９３】
スイッチ（ＳＷ）２４２は、携帯電話機１０との接続部である。携帯電話機１０の利用者は、アダプタ２４０にセットする際に、このスイッチ２４２に携帯電話機１０がセットされることで、セット完了通知を制御回路部２４１に通知する。
【０１９４】
ボタン２４２〜２４６は、ＩＰ電話機４０Ｄに対応したボタンであり、セットされた携帯電話機１０への着信の転送先（ＩＰ電話機４０Ｄ）と特定するためのボタンである。ボタン２４４〜２４６は、携帯電話機１０をスイッチ２４２にセットされた際に、利用者の操作によりボタン２４４〜２4６が押下され、そのセットされた携帯電話機１０に着信があった場合に、携帯電話機１０とＩＰ電話機４０Ｄとを対応させるものである。
【０１９５】
制御回路部２４１は、スイッチ２４２からのセット完了通知を受けて携帯電話機１０がセットされたことを確認する。また、制御回路部２４１は、セット完了を検出した後、利用者に押下されたボタン２４４〜２４６を調べ、そのボタン２４４〜２４６に対応するＩＰ電話機４０Ｄを転送先として決定する。
【０１９６】
また、制御回路部２４１は、スイッチ２４２にセットされた携帯電話機１０から携帯電話番号を受け取り、またボタン２４４〜２４６押下により得た転送先情報、携帯電話番号、内線番号及び接続有効情報を少なくとも含む番号変更情報をネットワークＩＦ部２４３を介してＩＰ電話交換機３１０に与えるものである。これにより、ＩＰ電話交換機３１０は、アダプタ２４０の内線番号に携帯電話番号と転送先情報とを対応付けて携帯電話位置管理ＤＢ３５に格納させ、携帯電話機１０の転送先を特定させることができる。
【０１９７】
（Ｅ−２）第５の実施形態の動作
次に、携帯電話機１０をアダプタ２４０にセットして番号変換登録する動作について図２２を参照して説明する。
【０１９８】
まず、携帯電話１０がアダプタ２１０のスイッチ２４２にセットされる（Ｓ８０）。このセットについて、例えば、携帯電話１０の重みなどによりスイッチ２４２が押され、スイッチ２４２から制御回路部２４１にセット完了通知が与えられる（Ｓ８１）。これにより、制御回路部２４１は、携帯電話機１０がスイッチ２４２にセットされたことを検出することができる。
【０１９９】
携帯電話機１０がスイッチ２４２にセットされると、利用者の操作により、ボタン２４４〜２４６が押下される。制御回路部２４１では、今回利用者に押下されたボタン２４４〜２４６を検知し（Ｓ８２）、その押下されたボタン２４４〜２４６に対応するＩＰ電話機４０Ｄを転送先として認識する（Ｓ８３）。
【０２００】
次に、制御回路部２４１は、携帯電話１０の携帯電話番号、転送先情報（ＩＰ電話機５４０Ｄの番号）、内線番号及び接続有効情報を少なくとも含む番号変換情報を、ネットワークＩＦ部２４３を介してＩＰ電話交換機３１０に送信する（Ｓ８４）。これにより、ＩＰ電話交換部３１０の携帯電話位置管理ＤＢ３５に、内線番号に、携帯電話番号と転送先番号とを対応付けて登録することができる。
【０２０１】
次に、携帯電話機１０をアダプタ２４０から取り外した場合の動作について図２３を参照して説明する。
【０２０２】
まず、携帯電話機１０がスイッチ２４２から取り外されると（Ｓ８５）、スイッチ２４２から切断通知を制御回路部２４１に与える。これを受けて、制御回路部２４１は、スイッチ２４２から携帯電話機１０が取り外されたことを検出する（Ｓ８６）。
【０２０３】
携帯電話機１０がスイッチ２４２から取り外されたことを制御回路部２４１が検出すると、制御回路部２４１は、携帯電話機１０がアダプタ２４０から取り外されため、携帯電話位置管理ＤＢ３５に登録されている携帯電話番号を削除する旨の要求通知をＩＰ電話交換機３１０に送信する（Ｓ８７）。
【０２０４】
これにより、ＩＰ電話交換機３１０は、アダプタ２４０の内線番号に対応付けて登録されている携帯電話番号及び転送先情報を削除する。
【０２０５】
次に、ＩＰ電話交換機３１０が収容するＩＰ電話機４０Ａから携帯電話機１０に発信した場合のＩＰ電話機交換機３１０の動作について図２４を参照して説明する。
【０２０６】
ＩＰ電話機４０Ａから携帯電話機１０に対して発信があると（Ｓ８８）、ＩＰ電話交換機３１０はＩＰ電話機４０Ａからの発呼を受ける（Ｓ８９）。
【０２０７】
ＩＰ電話交換機３１０では、呼制御回路部３４の制御により、ＩＰ電話機４０Ａからの送信先番号（この場合は携帯電話機１０の携帯電話番号）に基づいて、携帯電話位置管理ＤＢ３５を参照し、携帯電話番号を検索する（Ｓ９０）。
【０２０８】
呼制御回路部３４による送信先番号（携帯電話番号）の検索の結果、送信先番号（携帯電話番号）が登録されて場合には、第１の実施形態と同様に、公衆網５０に発信し、公衆網を介して携帯電話機１０に着信させる（Ｓ３８〜Ｓ４０）。
【０２０９】
また、呼制御回路部３４により送信先番号（携帯電話番号）の検索の結果、送信先番号（携帯電話番号）が登録されている場合には、携帯電話番号に対応する転送先情報を割り出し、その転送先情報を送信先番号に置き換える（Ｓ９１）。
【０２１０】
ＩＰ電話交換機３１１０では、転送先情報を置き換えた送信先番号に基づいて、内線網６０を通じて内線として発信し、アダプタ２４０又はＩＰ電話機４０Ｄに着信する（Ｓ９２）。これにより、ＩＰ電話交換機３１０とＩＰ電話機４０Ｄとの通話が可能となる（Ｓ９３）。
【０２１１】
つまり、利用者は、携帯電話機１０をアダプタ２４０にセットして転送先を特定するボタン２４４〜２４６を押下することで、その後携帯電話機１０に着信があった場合に、携帯電話機１０を用いることなくその特定した転送先のＩＰ電話機４０Ｄを用いて通話することができる。
【０２１２】
（Ｅ−３）第５の実施形態の効果
以上のように、第５の実施形態によれば、携帯電話機１０への着信があった場合に、公衆網５０を経由した通話を行なうことなく、アダプタ２４０が収容する転送先ＩＰ電話機４０Ｄを用いて内線として通話することができるので、より安価な回線を発信者が選択することなく自動的に利用することが可能となる。
【０２１３】
（Ｆ）他の実施形態
第１〜第５の実施形態においても変形例を記載したが、各実施形態で説明した、携帯電話機、アダプタ、ＩＰ電話交換機及び構内ネットワーク回線（内線網）などの構成をそれぞれ結合させた交換処理システムを形成するようにしてもよい。
【図面の簡単な説明】
【０２１４】
【図１】第１の実施形態の交換処理システムを示す全体構成図である。
【図２】従来の交換処理システムを示す全体構成図である。
【図３】従来の電話交換機を示す内部構成図である。
【図４】従来の構内ＬＡＮシステムを示す全体構成図である。
【図５】第１の実施形態の交換処理システムを示す全体構成図である。
【図６】第１の実施形態のアダプタとの接続動作を示すシーケンス図である。
【図７】第１の実施形態のアダプタとの接続切断動作を示すシーケンス図である。
【図８】第１の実施形態の交換処理動作を示すフローチャートである。
【図９】第２の実施形態の交換処理システムを示す全体構成図である。
【図１０】第２の実施形態のアダプタとの接続動作を示すシーケンス図である。
【図１１】第２の実施形態のアダプタとの接続切断動作を示すシーケンス図である。
【図１２】第２の実施形態の交換処理動作を示すフローチャートである。
【図１３】第３の実施形態の交換処理システムを示す全体構成図である。
【図１４】第３の実施形態のアダプタとの接続及び情報登録動作を示すフローチャートである。
【図１５】第３の実施形態のアダプタとの接続切断及び情報削除動作を示すフローチャートである。
【図１６】第３の実施形態の交換処理動作を示すフローチャートである。
【図１７】第４の実施形態の交換処理システムを示す全体構成図である。
【図１８】第４の実施形態のアダプタとの接続及び情報登録動作を示すフローチャートである。
【図１９】第４の実施形態のアダプタとの接続切断及び情報無効化動作を示すフローチャートである。
【図２０】第４の実施形態の交換処理動作を示すフローチャートである。
【図２１】第５の実施形態の交換処理システムを示す全体構成図である。
【図２２】第５の実施形態のアダプタとの接続動作を示すフローチャートである。
【図２３】第５の実施形態のアダプタとの接続切断動作を示すフローチャートである。
【図２４】第５の実施形態の交換処理動作を示すフローチャートである。
【符号の説明】
【０２１５】
１０…携帯電話機、２１０〜２４０…アダプタ、３１０、３２０…電話交換機、
１４…制御回路部、１５…無線回路部、１３…音声処理部、１７…スイッチ、
２１、２５、２８…制御回路部。
【図１】
2005191907.tif 000003
【図２】
2005191907.tif 000004
【図３】
2005191907.tif 000005
【図４】
2005191907.tif 000006
【図５】
2005191907.tif 000007
【図６】
2005191907.tif 000008
【図７】
2005191907.tif 000009
【図８】
2005191907.tif 000010
【図９】
2005191907.tif 000011
【図１０】
2005191907.tif 000012
【図１１】
2005191907.tif 000013
【図１２】
2005191907.tif 000014
【図１３】
2005191907.tif 000015
【図１４】
2005191907.tif 000016
【図１５】
2005191907.tif 000017
【図１６】
2005191907.tif 000018
【図１７】
2005191907.tif 000019
【図１８】
2005191907.tif 000020
【図１９】
2005191907.tif 000021
【図２０】
2005191907.tif 000022
【図２１】
2005191907.tif 000023
【図２２】
2005191907.tif 000024
【図２３】
2005191907.tif 000025
【図２４】
2005191907.tif 000026